(57)【要約】【課題】食器かごに食器類をセットするときに、支持ピンに邪魔されることなく食器類を誘導するとともに安定して載置できる使い勝手が良い食器洗い機を提供する。【解決手段】筐体１と、筐体１内に設けられる洗浄槽２と、洗浄槽２内に設けられ、食器類９が戴置される食器かご２３とを備え、食器かご２３は、食器類９の種類によって区分されたセット部２４ａを有し、セット部２４ａは、食器類９を下から支える支持部４０と、食器類９が倒れないように支持する支持ピン４１とを有し、支持ピン４１は、２列に並んだ前支持ピン４１ａと後支持ピン４１ｂが互いに斜め上方に広がるように配列され、２列の支持ピンのうち、後支持ピン４１ｂは、所定寸法の長さＬ１を有し、所定の角度θ１で斜め上方に広がるように設けられ、前支持ピン４１ａは、所定の角度θ１より大きい角度θ２で反対の斜め上方により大きく広がるように設けられた。【選択図】図１１
2015160029.tif 000002
【特許請求の範囲】
【請求項１】
筐体と、前記筐体内に設けられる洗浄槽と、前記洗浄槽内に設けられ、食器類が戴置される食器かごとを備え、前記食器かごは、食器の種類によって区分されたセット部を有し、前記セット部のうち少なくとも１つは、横向きに立てた前記食器類を下から支える支持部と、前記食器類が倒れないように支持する支持ピンとを有し、前記支持ピンは、２列に並んだ複数の支持ピンが互いに斜め上方に広がるように配列され、前記２列の支持ピンのうち、一方の列の支持ピンは、所定寸法の長さを有し、所定の角度で斜め上方に広がるように設けられ、他方の列の支持ピンは、前記所定寸法より短い長さを有し、前記所定の角度より大きい角度で反対の斜め上方により大きく広がるように設けられた食器洗い機。
【請求項２】
前記少なくとも１つのセット部において、前記他方の列の支持ピンは、前記所定寸法より短い長さを有する請求項１記載の食器洗い機。
【請求項３】
前記少なくとも１つのセット部において、前記他方の列の支持ピンは、前記食器類が戴置されるときに、主に持ち込まれる側に設けられた請求項１または２記載の食器洗い機。
【請求項４】
前記少なくとも１つのセット部は、横向きに立てた前記食器類が、前方から見て平行になるように戴置され、前記一方の支持ピンは前記洗浄槽の奥側に形成され、前記他方の支持ピンは前記洗浄槽の手前側に形成された請求項１から３のうちいずれか１項記載の食器洗い機。
【請求項５】
前記少なくとも１つのセット部において、上方から見て、前記一方の列の支持ピンは前記食器類の高台方向に傾斜し、前記他方の列の支持ピンは前記食器類の口部方向に傾斜するように構成された請求項１から４のうちいずれか１項記載の食器洗い機。
【発明の詳細な説明】
【技術分野】
【０００１】
本発明は食器類を洗浄する食器洗い機に関するもので、特に食器が載置される食器かごに関するものである。
【背景技術】
【０００２】
従来、一般的な食器洗い機は、洗浄水を加熱しながら洗浄ノズルより食器類に向けて噴射して食器類を洗浄する。以下に、一般的な食器洗い機の構成について、図１２を用いて説明する。図１２は、従来の食器洗い機の側面断面図である。
【０００３】
図１２に示すように、従来の食器洗い機は、少なくとも、筐体１と、洗浄槽２と、給水弁３と、洗浄ポンプ５と、洗浄ノズル７と、ヒータ８と、食器かご１０と、排水ポンプ１１などから構成されている。食器洗い機の本体の前面に、開閉して食器類９を出し入れする扉体１ａが設けられている。洗浄槽２は、食器洗い機の内部に設けられ、給水弁３により水または湯が供給されるように構成されている。また、洗浄槽２の底部に排水孔４が設けられている。洗浄ポンプ５は、排水孔４に連通して取り付けられ、モータによって駆動される。洗浄ポンプ５は、洗浄水を洗浄ノズル７から噴射させて洗浄槽２の内部に循環させる。また、食器類９から洗い落とされた残菜を捕集する残菜フィルタ６が排水孔４に設けられている。なお、洗浄槽２内に収容された食器類９などの被洗浄物の洗浄およびすすぎステップで用いられる液体を洗浄水と称して説明する。
【０００４】
具体的には、まず、洗浄槽２内に供給され、貯留された洗浄水は、残菜フィルタ６を通過して洗浄ポンプ５に吸い込まれる。吸い込まれた洗浄水は、洗浄ポンプ５により洗浄槽２内に設けられた洗浄ノズル７に圧送される。供給された洗浄水は、洗浄ノズル７から食器類９に向けて噴射される。そして、洗浄ノズル７から噴射された洗浄水は、食器類９を洗浄した後、再び排水孔４に戻るという経路で循環する。このとき、食器類９から脱落した残菜などは、洗浄水とともに残菜フィルタ６に流入する。そして、残菜フィルタ６を通過できない大きさの残菜は残菜フィルタ６に捕集される。
【０００５】
また、ヒータ８は、洗浄ノズル７と洗浄槽２の底部との間に配設され、洗浄水を加熱する。具体的には、ヒータ８は、洗浄時において、洗浄水が洗浄槽２に所定の水位まで給水されると洗浄ポンプ５の起動とほぼ同時に通電される。そして、洗浄水は洗浄槽２内を循環しながら約６０℃まで加熱される。また、食器かご１０は、食器類９を整然と配置するように構成され、洗浄ノズル７の上方に配設されている。これにより、食器洗い機は、食器かご１０に配置された食器類９に対して、洗浄水を効果的に食器類９に噴射して効率的に洗浄を行う。また、排水ポンプ１１は、排水ホース１２を通して洗浄水を機外に排出する。
【０００６】
さらに、食器洗い機の本体の底部に、外気を洗浄槽２に取り入れる送風ファン１３と、一連の洗浄運転を制御して実行する制御装置１５が設けられている。また、洗浄水の温度を検知するサーミスタ１４が排水孔４の外側に配設されている。
【０００７】
以上のように構成された食器洗い機の運転について簡単に説明する。食器洗い機の運転は制御装置１５により制御される。
【０００８】
まず、食器類９に付着した食品の汚染物を洗い落とす洗浄ステップを行う。洗浄ステップでは、洗浄槽２内に事前に投入された洗剤を溶かしながら、洗剤を含んだ洗浄水を洗浄ノズル７から噴射し、食器類９に付着した汚染物を洗い落とす。その後、きれいな水に入
れ替えて、食器類９に付着した洗剤などをすすぐすすぎステップを行う。次に、さらに衛生的に仕上げるために、７０℃〜８０℃の高温のきれいな加熱水ですすぐ加熱すすぎステップを行う。加熱すすぎステップの次に乾燥ステップを行う。乾燥ステップでは外気を送風ファン１３により洗浄槽２内に取り入れる。そして、取り入れた外気をヒータ８により加熱して暖めた後、食器類９の間を流す。これにより、食器類９に付着した水滴を乾かして食器類９を乾燥させる。
【０００９】
このような従来の食器洗い機において、ワイヤ製の食器かごに樹脂製の食器かごを組み合わせ、着脱可能とするとともに、さまざまな形状の食器をセットできるようにしたものが提案されている（例えば、特許文献１参照）。図１３は、従来の食器洗い機の食器かごの斜視図である。
【００１０】
食器かご１０は、図１３に示すように、ワイヤにより格子状の枠体１０ａに構成されている。そして、一部の領域を皿類が横向きに立てて戴置される皿類セット部１６として、ワイヤを上部に突出させて皿類を前後から支持する支持ピン１６ａが形成されている。食器かご１０は、洗浄ノズル７により噴射された洗浄水を食器類９に効率よく当てるため、格子形状で隙間をなるべく大きくした構成となっている。さらに、碗類や皿類を戴置するため樹脂製のセットかご１７が着脱可能に取り付けられている。セットかご１７は左右に複数の突起形状などからなる支持ピン１８が数多く配置され、さまざまな形状の碗類や皿類を載置可能に構成されている。使用者がセットかご１７に碗類を載置する場合、複数の支持ピン１８を利用して支持位置を変えることにより、さまざまな形状の食器を安定して載置できる。
【００１１】
また、図１４は、他の従来の食器洗い機の食器かごの斜視図である。この従来の食器洗い機は、手前の支持ピン１９を、奥の支持ピン２０よりも低くすることで、食器の前方からの載置性を向上させている（例えば、特許文献２参照）。
【先行技術文献】
【特許文献】
【００１２】
【特許文献１】特開平３−２１５２３３号公報
【特許文献２】特開２００７−２８２７５４号公報
【発明の概要】
【発明が解決しようとする課題】
【００１３】
しかしながら、特許文献１に記載された従来の構成では、食器洗い機の前方から見て、皿類セット部に皿類が平行になるように戴置され、２列に並んだ複数の同じ長さの支持ピンがそれぞれ前後の斜め上方に広がるように配列されている。使用者が前方から食器類を戴置しようとしたとき、前側に広がるように配列された手前の長い支持ピンが邪魔になり、食器のセット性を低下させるという課題があった。
【００１４】
これに対し、特許文献２に記載された従来の構成では、手前の支持ピンを低くしている。しかしながら、直立した支持ピンであるため、支持ピンが短くなることで、食器の誘導距離が短くなるという課題と、食器の高台側の支持位置が左右で異なるため片方でしか支持できなくなり、食器類を戴置したときの安定性が損なわれるという課題を有していた。
【００１５】
本発明は、前記従来の課題を解決するもので、食器かごのセット部に設けられた、食器類を支持する支持ピンの長さと角度を工夫することで、食器類をセット部に導く誘導性を損なうことなく食器類の安定性をよくし、食器かごのセット性を向上した使い勝手のよい食器洗い機を提供することを目的とする。
【課題を解決するための手段】
【００１６】
前記従来の課題を解決するために、本発明の食器洗い機は、筐体と、前記筐体内に設けられる洗浄槽と、前記洗浄槽内に設けられ、食器類が戴置される食器かごとを備え、前記食器かごは、食器の種類によって区分されたセット部を有し、前記セット部のうち少なくとも１つは、横向きに立てた前記食器類を下から支える支持部と、前記食器類が倒れないように支持する支持ピンとを有する。さらに、前記支持ピンは、２列に並んだ複数の支持ピンが互いに斜め上方に広がるように配列され、前記２列の支持ピンのうち、一方の列の支持ピンは、所定寸法の長さを有し、所定の角度で斜め上方に広がるように設けられ、他方の列の支持ピンは、前記所定の角度より大きい角度で反対の斜め上方により大きく広がるように設けられたものである。
【００１７】
これにより、食器かごは、他方の列の支持ピンが大きく傾斜することで高さが低くなるとともに広がるため、その支持ピンが食器の持ち込みを邪魔することがない。そして、食器類をセットする際にも安定して載置可能にし、セット性を向上することができる。
【発明の効果】
【００１８】
本発明の食器洗い機は、使用者が食器かごに食器類を戴置するときに、林立する支持ピンに邪魔されることなく食器類を誘導するとともに安定して載置できるものであり、食器のセット性を向上した使い勝手がよいものとなる。
【図面の簡単な説明】
【００１９】
【図１】本発明の実施の形態１における食器洗い機の側面断面図
【図２】本実施の形態における食器洗い機の食器かごの斜視図
【図３】本実施の形態における食器洗い機の食器かごの平面図
【図４】本実施の形態における食器洗い機のセットかごの平面図
【図５】本実施の形態における食器洗い機のセットかごの斜視図
【図６】本実施の形態における食器洗い機のセットかごの斜視図
【図７】本実施の形態における食器洗い機のセットかごの要部斜視図
【図８】本実施の形態における食器洗い機の食器かごの枠体の平面図
【図９】（ａ）本実施の形態における食器洗い機の食器かごの枠体の斜視図（ｂ）本実施の形態における食器洗い機の食器かごの枠体の斜視図
【図１０】本実施の形態における食器洗い機の食器かごの枠体の側面図
【図１１】本実施の形態における食器洗い機の食器かごの枠体の側面図
【図１２】従来の食器洗い機の側面断面図
【図１３】従来の食器洗い機の食器かごの斜視図
【図１４】従来の食器洗い機のセットかごの平面図
【発明を実施するための形態】
【００２０】
第１の発明の食器洗い機は、筐体と、前記筐体内に設けられる洗浄槽と、前記洗浄槽内に設けられ、食器類が戴置される食器かごとを備え、前記食器かごは、食器の種類によって区分されたセット部を有し、前記セット部のうち少なくとも１つは、横向きに立てた前記食器類を下から支える支持部と、前記食器類が倒れないように支持する支持ピンとを有する。さらに、前記支持ピンは、２列に並んだ複数の支持ピンが互いに斜め上方に広がるように配列され、前記２列の支持ピンのうち、一方の列の支持ピンは、所定寸法の長さを有し、所定の角度で斜め上方に広がるように設けられ、他方の列の支持ピンは、前記所定の角度より大きい角度で反対の斜め上方により大きく広がるように設けられたものである。
【００２１】
これにより、他方の列の支持ピンが大きく傾斜することで高さが低くなるとともに広がるため、その支持ピンに邪魔されることなく、食器類をセットすることができる。そして
、食器類を安定して載置可能にし、セット性を向上することができる。
【００２２】
第２の発明は、第１の発明において、前記少なくとも１つのセット部において、前記他方の列の支持ピンは、前記所定寸法より短い長さを有するものである。これにより、他方の列の支持ピンの高さがより低くなることで、その支持ピンに邪魔されることなく、食器類をセットすることができる。また、長さが短くても前方に大きく傾斜しているため、食器類を戴置するときの誘導部としての役割を損なうことがない。
【００２３】
第３の発明は、第１または第２の発明において、前記少なくとも１つのセット部において、前記他方の列の支持ピンは、前記食器類が戴置されるときに、主に持ち込まれる側に設けられたものである。これにより、使用者は、食器類をあまり持ち上げなくても他方の列の支持ピンに邪魔されることなく、容易に戴置することができる。
【００２４】
第４の発明は、第１から第３のうちいずれかの発明において、前記少なくとも１つのセット部は、横向きに立てた前記食器類が、前方から見て平行になるように戴置され、前記一方の支持ピンは前記洗浄槽の奥側に形成され、前記他方の支持ピンは前記洗浄槽の手前側に形成されたものである。これにより、使用者は、前記食器類を前面から戴置するときに、食器類をあまり持ち上げなくても他方の列の支持ピンに邪魔されることなく、容易に戴置することができる。
【００２５】
第５の発明は、第１から第４のうちいずれかの発明において、前記少なくとも１つのセット部において、上方から見て、前記一方の列の支持ピンは前記食器類の高台方向に傾斜し、前記他方の列の支持ピンは前記食器類の口部方向に傾斜するように構成されたものである。これにより、２列の支持ピンで異なる高さの支持点を安定して支持することができる。
【００２６】
以下、本発明の実施の形態について、図を参照しながら説明する。なお、この実施の形態によって本発明が限定されるものではない。
【００２７】
（実施の形態１）
以下に、本発明の実施の形態における食器洗い機の構成について、図面を参照しながら説明する。図１は、本発明の実施の形態１における食器洗い機の側面断面図で、キッチンカウンタなどの上に設置される卓上型食器洗い機である。なお、図１３を用いて説明した従来の食器洗い機と構成は基本的に同じであり、同一符号を付して説明を省略する。以降の説明については、本実施の形態のポイントである食器洗い機に備えられた食器かごについて詳細に説明する。
【００２８】
図２は、本実施の形態における食器洗い機の食器かごの斜視図である。図３は、本実施の形態における食器洗い機の食器かごの平面図である。図４は、本実施の形態における食器洗い機のセットかごの平面図である。図５と図６は、本実施の形態における食器洗い機のセットかごの斜視図である。図７は、本実施の形態における食器洗い機のセットかごの要部斜視図である。なお、図３から図７に食器類９の種類を例示する。食器類９には、鉢類Ａ、中皿類Ｂ、小皿類Ｃ、コップ類Ｄ、碗類Ｅおよび大皿類Ｆが含まれる。コップ類Ｄには図示しない湯飲み茶碗なども含まれる。また、図示しないが、箸やスプーン、フォークなどの細長いカトラリー類Ｇ、猪口などの小物類Ｊ、および包丁Ｋなども含まれる。なお、皿で区別した大きさの違いは、洗浄槽２に収容できる範囲での相対的な大きさの違いであるとともに、厳密に区別されるものではない。
【００２９】
図２と図３において、食器かご２３は、ワイヤで構成された枠体２４と、枠体２４に着脱可能に構成され、樹脂で一体に形成されたセットかご２５と、カトラリー類を立てて収
容できる小物入れ２６とで構成される。食器洗い機は、矢印Ｘに示される方向が扉体１ａが設けられた前方であり、食器かご２３は洗浄槽２から矢印Ｘ方向に引き出される。
【００３０】
図４から図６において、セットかご２５は、縦方向の縦桟２５ａや横方向の横桟２５ｂなどが組み合わせられた枠体が樹脂で一体に構成され、食器の種類によって区分された複数のセット部を有する。セットかご２５は、例えば、鉢類Ａのセット部２７と、中皿類Ｂのセット部２８ａと、カトラリー類Ｇや猪口などのセット部２８ｂと、小皿類Ｃとコップ類Ｄのいずれでも戴置できるセット部２９とを有している。碗類Ｅは鉢類Ａと類似形状であり、セット部２７に戴置される。また、図２と図３において、枠体２４でセットかご２５と小物入れ２６が設けられない領域は、大皿類Ｆのセット部２４ａである。鉢類Ａ、中皿類Ｂ、小皿類Ｃ、碗類Ｅ、大皿類Ｆは横向きに立てて載置される。コップ類Ｄは飲み口を下に向け、伏せて載置される。
【００３１】
まず、図４と図７を参照しながら、セット部２７に鉢類Ａまたは碗類Ｅが戴置される状態を具体的に説明する。セット部２７は、対向する２本の横桟２５ｂで構成される支持部材３０と、これら複数の支持部材３０を連結するように複数列形成されるリブ３１とで構成される。図７において、支持部材３０は、横向きに立てて載置される碗類Ｅの口部となる外周の２ヶ所を下から支持する支持部３０ａと、支持部３０ａに立設された支持ピン３０ｂとから構成される。１つの碗類Ｅは、２列の支持部材３０により支持点Ｐ１、Ｐ２それぞれ２ヶ所の計４点で支持される。碗類Ｅの口部側となる１列目の支持ピン３０ｂは、支持部３０ａとともに碗類Ｅの口部となる外周の下側の２ヶ所をそれぞれ支持点Ｐ１で前方から支持する。２列目の支持ピン３０ｂは、支持点Ｐ２で碗類Ｅを後方から支持する。
【００３２】
リブ３１の中央部３１ａは食器の高台形状を模した凸となっており、リブ３１は、上方から見ると、載置される鉢類Ａや碗類Ｅの断面形状を模した誘導形状部となっている。使用者は、この形状によりセット部２７に戴置できる食器類９が類似形状の鉢類Ａまたは碗類Ｅであり、戴置すべき向きもリブ３１で示される向きであることが直感的に認識できる。
【００３３】
次に、図４から図６において、セット部２９に小皿類Ｃとコップ類Ｄが戴置される。すなわち、セット部２９には、形状も戴置方法も異なる２つの食器類が１つの領域に戴置される。まず、小皿類Ｃの戴置について説明する。セット部２９は、支持部材３０とは異なる対向する２本の横桟２５ｂで構成される。セット部２９は、横向きに立てて載置される小皿類Ｃの外周の２ヶ所を下から支持する支持部３２と、支持部３２上に形成され、小皿類Ｃを後方から支持する支持ピン３２ａと、支持ピン３２ａより短く前方から支持する支持ピン３２ｂとから構成される。縦桟２５ａで構成されるリブ３３は、支持部３２を梯子状に連結する。図５に示すように、リブ３３は、下側中央部が下方に膨らむ円弧状に形成されており、側方から見ると、載置される小皿類Ｃの外周の輪郭形状を模した誘導形状部となっている。
【００３４】
つぎに、コップ類Ｄの戴置について説明する。セット部２９は、支持部３２とリブ３３に加え、立設された支持ピン３４とリング状リブ３５とで構成されている。リブ３３は一方に傾斜しており、コップ類Ｄを支持ピン３４に被せるように伏せると、コップ類Ｄは少し傾いて支持ピン３４に内側から支持されて安定して載置される。このとき、リブ３３が、コップ類Ｄの支持部となり、上述した小皿類Ｃの誘導形状部とを兼ねる。また、支持ピン３４とリング状リブ３５とは２本のリブ３３の間に中間リブ３３ａを含んで１つ置きに形成され、コップ類Ｄの戴置位置として明示する。このリング状リブ３５は、上方から見ると、載置されるコップ類Ｄの開口部の輪郭形状または胴部の横断面形状を模した誘導形状部となっている。
【００３５】
また、図４から図６において、中皿類Ｂのセット部２８ａは中皿類Ｂの外周を下から支持する支持部材３６上に後方から支持する支持ピン３７と前方から支持する支持ピン３８とから構成される。支持ピン３７を連結するリブ３９は中央部が下方に膨らむ円弧状に形成され、リブ３９は載置される中皿類Ｂの輪郭形状を模した誘導形状部となっている。
【００３６】
さらに、大皿類Ｆの戴置について説明する。図８は、本実施の形態における食器洗い機の食器かごの枠体の平面図である。図９（ａ）（ｂ）は、本実施の形態における食器洗い機の食器かごの枠体の斜視図である。図１０と図１１は、本実施の形態における食器洗い機の食器かごの枠体の側面図で、図１０は大皿類Ｆが戴置されつつある状態を示し、図１１は大皿類Ｆが戴置された状態を示す。なお、図１０と図１１では、従来との比較のために従来の前支持ピンを破線で示す。図８から図１１において、大皿類Ｆのセット部２４ａは、大皿類Ｆの外周を下から支持する支持部４０と、支持部４０に設けられ、大皿類Ｆを前後から支持する支持ピン４１とで構成される。大皿類Ｆは、食器洗い機の前方から見て平行になるように戴置される。
【００３７】
支持部４０は２本の横桟で構成され、洗浄槽２の手前側の前支持部４０ａと奥側の後支持部４０ｂとを有する。複数の支持ピン４１は、前支持ピン４１ａと後支持ピン４１ｂとがそれぞれ前支持部４０ａと後支持部４０ｂに沿って２列で構成される。前支持ピン４１ａと後支持ピン４１ｂとは、互いに斜め上方に広がるように配列される。後支持ピン４１ｂは所定寸法の長さＬ１を有し、鉛直に対して所定の角度θ１で洗浄槽２の奥側へ斜め上方に広がるように設けられる。前支持ピン４１ａは、所定寸法より短い長さＬ２を有し、所定の角度θ１より大きい角度θ２で手前側へ斜め上方に、より大きく広がるように設けられる。この構成により、前支持ピン４１ａは、手前方向に大きく傾斜し、先端の高さは後支持ピン４１ｂより低くなっている。
【００３８】
さらに、図８に示すように、上方から見て、後支持ピン４１ｂは大皿類Ｆの高台方向に角度α１だけ傾斜し、前支持ピン４１ａは大皿類Ｆの口部方向に角度α２だけ傾斜している。なお、従来の食器かごの構成では、これらの支持ピンは、いずれも高台方向に傾斜していた。
【００３９】
図１０において、大皿類Ｆは、矢印Ｚのように、使用者により前方から持ち込まれる。そして、図１１において、大皿類Ｆは、支持点Ｐ３で前支持部４０ａと後支持部４０ｂとにより外周を下から支持される。支持点Ｐ３では、大皿類Ｆの外周、すなわち口部は、図では大皿類Ｆにより見えない一つ向こう側の支持ピン４１によっても支持される。そして、高台側に倒れないように、支持点Ｐ４で後支持ピン４１ｂにより支持され、支持点Ｐ５で前支持ピン４１ａにより支持される。
【００４０】
以上のように構成された食器洗い機について、以下その動作、作用を説明する。使用者は、食器類９を食器かご２３に載置するときに戴置位置を確認する。このとき、セットかご２５は、鉢類Ａ、小皿類Ｃ、コップ類Ｄ、中皿類Ｂの戴置位置にそれぞれの食器を模したリブ３１、３３、３５、３９を誘導形状部として有するため、使用者は直感的に戴置位置や戴置方向を認識することができる。これにより、食器の載置時間を短縮することができる。
【００４１】
次に、大皿類Ｆのセット部２４ａについて説明する。使用者は、食器類９を食器かご２３に前面から戴置する。このとき、大皿類Ｆのセット部２４ａでは、図１０に示すように、手前側にある前支持ピン４１ａは、手前側に向けて大きく傾斜して構成され、先端の高さが低い。これにより、使用者は、大皿類Ｆをあまり持ち上げなくても前支持ピン４１ａに邪魔されることなく、容易に戴置することができる。
【００４２】
また、前支持ピン４１ａは、後支持ピン４１ｂより短いが手前側に向けて傾斜する角度が大きく、先端は使用者の手元に近づいている。これにより、前支持ピン４１ａは、大皿類Ｆを戴置するための誘導部としての役割を損なうことなく、大皿類Ｆを支持ピン４１の間にスムーズに導くことができる。また、前支持ピン４１ａの先端部を食器かご２３の前端部に近づくようにできるため、大皿類Ｆを導く誘導開始位置を広げることができる。
【００４３】
さらに、図９から図１１に示すように、前支持ピン４１ａが後支持ピン４１ｂより広がっていると、前支持ピン４１ａが大皿類Ｆの後を支持する位置が低くなる。そうすると、後支持ピン４１ｂは高台に当接して支持するが、前支持ピン４１ａは高台を外れて大皿類Ｆの口部に近い裏面に当接しないと支持することができない。本実施の形態では、セット部２４ａを上方から見ると、後支持ピン４１ｂは大皿類Ｆの高台方向に傾斜し、前支持ピン４１ａは口部方向に傾斜している。この構成により、後支持ピン４１ｂは従来と同様に高台に当接し、前支持ピン４１ａは大皿類Ｆの口部に近い裏面に当接する。これにより、前支持ピン４１ａと後支持ピン４１ｂとにより異なる高さの支持点を支持し、大皿類Ｆが倒れたり転がったりしないように安定して支持することができる。
【００４４】
なお、本実施の形態では、前支持ピン４１ａを後支持ピン４１ｂより長さを短くし、傾斜角度を大きくして広がるように構成したが、同じ長さで構成してもよい。前支持ピン４１ａの長さが後支持ピン４１ｂと同じも、傾斜角度が大きいため先端の高さは低く、邪魔になりにくい。また、食器類を戴置するときの誘導部としては、より手前から誘導することができる。
【００４５】
また、本実施の形態では、大皿類Ｆのセット部２４ａにおいて、支持部４０は横桟を用いて横向きに立てた大皿類Ｆが、食器洗い機の前方から見て平行になるように戴置され、後支持ピン４１ｂは洗浄槽２の奥側に形成され、前支持ピン４１ａは洗浄槽２の手前側に形成されるようにしたが、これに限られない。例えば、支持部４０は縦桟を用いて横向きに立てた食器類９が、食器洗い機の側方から見て平行になるように戴置されてもよい。このとき、前支持ピン４１ａは、食器類９が使用者により戴置されるときに、主に持ち込まれる側に設けられることが望ましい。そうすれば、使用者は、食器類９をあまり持ち上げなくても前支持ピン４１ａに邪魔されることなく、容易に戴置することができる。
【００４６】
また、各支持ピンの角度は、食器かごのデザインや載置する食器の種類などに合わせて変更してもよい。また、本実施の形態では、食器かご２３の枠体２４をワイヤで形成したが、樹脂や金属で形成してもよい。
【００４７】
さらに、本実施の形態では、前支持ピンと後支持ピンとの角度を異なるようにし、支持点を異なるようにして安定的に支持するようにしたが、角度の変更に限定されるものではなく、支持ピンの形状で食器類の支持点を異なるようにしてもよく、安定して支持できるのであればよい。
【産業上の利用可能性】
【００４８】
以上のように、本発明にかかる食器洗い機は、前面からの食器セット部において、手前側にある支持ピンが手前側に向けて傾斜する角度を、奥側にある支持ピンが奥側に向けて傾斜する角度より大きく構成することで、手前側の支持ピンの高さを低くする。また、上方から見て、奥側の支持ピンは食器類の高台方向に傾斜し、手前側の支持ピンは口部方向に傾斜するように構成することで、食器類のセット性を向上し、安定した戴置ができるので、食器洗い機や食器洗い乾燥機などに設置される食器かごに有用である。
【符号の説明】
【００４９】
１  筐体
２  洗浄槽
９  食器類
１０  食器かご
１６  皿類セット部
２３  食器かご
２４  枠体
２４ａ  セット部
２５  セットかご
２５ａ  縦桟
２５ｂ  横桟
２６  小物入れ
２７  セット部
２８ａ  セット部
２８ｂ  セット部
２９  セット部
４０  支持部
４０ａ  前支持部
４０ｂ  後支持部
４１  支持ピン
４１ａ  前支持ピン
４１ｂ  後支持ピン
Ａ  鉢類
Ｂ  中皿類
Ｃ  小皿類
Ｄ  コップ類
Ｅ  碗類
Ｆ  大皿類
Ｌ１、Ｌ２  長さ
Ｐ３、Ｐ４、Ｐ５  支持点
α１、α２、θ１、θ２  角度
【図１】
2015160029.tif 000003
【図２】
2015160029.tif 000004
【図３】
2015160029.tif 000005
【図４】
2015160029.tif 000006
【図５】
2015160029.tif 000007
【図６】
2015160029.tif 000008
【図７】
2015160029.tif 000009
【図８】
2015160029.tif 000010
【図９】
2015160029.tif 000011
【図１０】
2015160029.tif 000012
【図１１】
2015160029.tif 000013
【図１２】
2015160029.tif 000014
【図１３】
2015160029.tif 000015
【図１４】
2015160029.tif 000016